(57)【要約】【課題】  試験対象の端末局と基地局が試験信号を送受信する際、その基地局と無線通信を実施している別の端末局が存在する場合でも、精度の高い試験結果を得ることができる無線通信システムを得ることを目的とする。【解決手段】  加入者端末局２と基地局１がデータの無線通信を実施しているとき、加入者端末局３と基地局１が無線回線の試験を実施する場合、基地局１が通信中の加入者端末局２から送信される無線電波を一時的に停止させてから、加入者端末局３と基地局１が試験信号を送受信する。【選択図】        図１
2005328286.tif 000002
【特許請求の範囲】
【請求項１】
基地局と端末局が無線回線を利用して、データの無線通信を実施する無線通信システムにおいて、上記基地局と無線通信を実施している端末局以外の端末局と上記基地局が無線回線の試験を実施する場合、上記通信中の端末局から送信される電波を一時的に停止させてから、上記通信中の端末局以外の端末局と上記基地局が試験信号を送受信することを特徴とする無線通信システム。
【請求項２】
基地局は、通信中の端末局以外の端末局から試験開始要求を受信すると、電波の送信停止を指示する送信停止指令を上記通信中の端末局に送信したのち、上記通信中の端末局以外の端末局と試験信号を送受信して無線回線の試験を実施し、その試験の完了後に電波の送信再開を指示する送信停止解除指令を上記通信中の端末局に送信することを特徴とする請求項１記載の無線通信システム。
【請求項３】
基地局と端末局が無線回線を利用して、データの無線通信を実施する無線通信システムにおいて、上記基地局と無線通信を実施している端末局以外の端末局と上記基地局が無線回線の試験を実施する場合、上記通信中の端末局から送信される電波を断続的に停止させ、その電波の送信が停止されている期間中、上記通信中の端末局以外の端末局と上記基地局が試験信号を送受信することを特徴とする無線通信システム。
【請求項４】
基地局は、通信中の端末局以外の端末局から試験開始要求を繰り返し受信する毎に、電波の送信停止を指示する送信停止指令を上記通信中の端末局に送信してから、電波の送信再開を指示する送信停止解除指令を上記通信中の端末局に送信し、上記通信中の端末局から送信される電波が停止しているとき、上記通信中の端末局以外の端末局と上記基地局が試験信号を送受信して無線回線の試験を実施することを特徴とする請求項３記載の無線通信システム。
【請求項５】
基地局は、通信中の端末局以外の端末局から試験開始要求を受信すると、電波の送信停止を指示する送信停止指令と電波の送信再開を指示する送信停止解除指令を上記通信中の端末局に交互に送信し、上記通信中の端末局から送信される電波が停止しているとき、上記通信中の端末局以外の端末局と上記基地局が試験信号を送受信して無線回線の試験を実施することを特徴とする請求項３記載の無線通信システム。
【発明の詳細な説明】
【技術分野】
【０００１】
この発明は、基地局と端末局が無線回線を利用して、データの無線通信を実施する無線通信システム、特に、基地局と無線通信を実施している端末局以外の端末局と基地局が無線回線の試験を実施する無線通信システムに関するものである。
【背景技術】
【０００２】
基地局と端末局が無線回線を利用して、データの無線通信を実施する無線通信システムでは、端末局が指向性アンテナを有している場合が多く、端末局を設置する際には、その設置位置や指向性アンテナの方向を調整する必要がある。
即ち、端末局の設置位置や指向性アンテナの方向によって、基地局との間の無線回線の品質が変化するので、無線回線の品質が最適な設置位置や指向性アンテナの方向を選択する必要がある。
【０００３】
以下の特許文献１には、端末局を設置する際、端末局と基地局が試験信号を送受信することにより、無線回線を試験（無線回線の状況を確認）する無線通信システムが開示されている。
【０００４】
【特許文献１】特開２０００−８４２３７号公報（段落番号［００２０］から［００３０］、図１）
【発明の開示】
【発明が解決しようとする課題】
【０００５】
従来の無線通信システムは以上のように構成されているので、試験対象の端末局と基地局が試験信号を送受信する際、その基地局と無線通信を実施している別の端末局が存在する場合、別の端末局から送信される電波が妨害波となって、試験対象の端末局と基地局が試験信号を正確に受信することができなくなり、無線回線の試験精度が劣化することがあるなどの課題があった。
【０００６】
この発明は上記のような課題を解決するためになされたもので、試験対象の端末局と基地局が試験信号を送受信する際、その基地局と無線通信を実施している別の端末局が存在する場合でも、精度の高い試験結果を得ることができる無線通信システムを得ることを目的とする。
【課題を解決するための手段】
【０００７】
この発明に係る無線通信システムは、通信中の端末局以外の端末局と基地局が無線回線の試験を実施する場合、通信中の端末局から送信される電波を一時的に停止させてから、通信中の端末局以外の端末局と基地局が試験信号を送受信するようにしたものである。
【発明の効果】
【０００８】
この発明によれば、通信中の端末局以外の端末局と基地局が無線回線の試験を実施する場合、通信中の端末局から送信される電波を一時的に停止させてから、通信中の端末局以外の端末局と基地局が試験信号を送受信するように構成したので、試験対象の端末局と基地局が試験信号を送受信する際、その基地局と無線通信を実施している別の端末局が存在する場合でも、精度の高い試験結果を得ることができる効果がある。
【発明を実施するための最良の形態】
【０００９】
実施の形態１．
図１はこの発明の実施の形態１による無線通信システムを示す構成図であり、図において、基地局１は無線回線を利用して、加入者端末局２とデータの無線通信を実施するとともに、加入者端末局３と試験信号を送受信して無線回線の試験を実施する。
加入者端末局２は無線回線を利用して、基地局１とデータの無線通信を実施する。加入者端末局３は例えば設置時に試験信号を基地局１と送受信する。
この実施の形態１では、通信中の加入者端末局が、加入者端末局２だけであるものについて示したが、２台以上の加入者端末局が通信中である場合もある。
【００１０】
加入者端末局２，３のＩ／Ｆ部１１は外部から送信対象のデータを入力して終端処理を実施する一方、基地局１から送信されたデータを外部に出力する。
加入者端末局２，３のベースバンド部１２は制御部１５の指示の下で制御信号を生成し、制御部１５により指示されたタイミングで、その制御信号とＩ／Ｆ部１１から出力されたデータをフレーミングし、そのフレーミング結果であるパケットデータを送受信部１３に出力する。また、ベースバンド部１２は無線回線の試験を実施する際には、制御部１５の指示の下で試験信号を生成して、その試験信号をフレーミングし、そのフレーミング結果であるパケットデータを送受信部１３に出力する。さらに、ベースバンド部１２は送受信部１３により復調されたパケットデータをデフレーミングし、そのパケットデータに含まれている制御信号を制御部１５に出力するとともに、そのパケットデータに含まれているデータをＩ／Ｆ部１１に出力する。
【００１１】
加入者端末局２，３の送受信部１３は制御部１５の指示の下、ベースバンド部１２から出力されたパケットデータを変調して増幅し、そのパケットデータの変調信号である無線電波をアンテナ１４から発信させる。また、送受信部１３はアンテナ１４により受信された無線電波を復調して、その復調信号であるパケットデータをベースバンド部１２に出力する。
加入者端末局２，３のアンテナ１４は無線電波を基地局１に送信する一方、基地局１から送信された無線電波を受信する。
加入者端末局２，３の制御部１５はＩ／Ｆ部１１、ベースバンド部１２及び送受信部１３の処理を制御する。
【００１２】
基地局１のアンテナ２１は加入者端末局２，３から送信された無線電波を受信する一方、無線電波を加入者端末局２，３に送信する。
基地局１の送受信部２２は制御部２５の指示の下、アンテナ２１により受信された無線電波を復調して、その復調信号であるパケットデータをベースバンド部２３に出力する。また、送受信部２２はベースバンド部２３から出力されたパケットデータを変調して増幅し、そのパケットデータの変調信号である無線電波をアンテナ２１から発信させる。
【００１３】
基地局１のベースバンド部２３は制御部２５の指示の下、送受信部２２により復調されたパケットデータをデフレーミングし、そのパケットデータに含まれている制御信号を制御部２５に出力するとともに、そのパケットデータに含まれているデータをＩ／Ｆ部２４に出力する。また、ベースバンド部２３は制御部２５の指示の下、パケットデータに含まれている試験信号を監視して無線回線の回線状況を確認する。さらに、ベースバンド部２３は制御部２５の指示の下で制御信号を生成し、制御部２５により指示されたタイミングで、その制御信号とＩ／Ｆ部２４から出力されたデータをフレーミングし、そのフレーミング結果であるパケットデータを送受信部２２に出力する。
【００１４】
基地局１のＩ／Ｆ部２４は加入者端末局２，３から送信されたデータを外部に出力する一方、外部から送信対象のデータを入力して終端処理を実施する。
基地局１の制御部２５は送受信部２２、ベースバンド部２３及びＩ／Ｆ部２４の処理を制御する。
図２及び図３は基地局１と加入者端末局２，３間の無線通信を示す説明図である。ただし、図２は無線電波が干渉する場合を示し、図３は無線電波が干渉しない場合を示している。
【００１５】
次に動作について説明する。
最初に、基地局１と加入者端末局２が無線回線を利用して、データの無線通信を実施する場合について説明する。
加入者端末局２がデータを基地局１に送信する場合、加入者端末局２のＩ／Ｆ部１１が外部から送信対象のデータを入力して終端処理を実施する。
【００１６】
加入者端末局２のベースバンド部１２は、Ｉ／Ｆ部１１が外部から送信対象のデータを入力すると、制御部１５の指示の下で制御信号を生成し、制御部１５により指示されたタイミングで、その制御信号と送信対象のデータをフレーミングし、そのフレーミング結果であるパケットデータを送受信部１３に出力する。
加入者端末局２の送受信部１３は、ベースバンド部１２からパケットデータを受けると、制御部１５の指示の下、そのパケットデータを変調して増幅し、そのパケットデータの変調信号である無線電波をアンテナ１４から発信させる。
【００１７】
基地局１の送受信部２２は、アンテナ２１が加入者端末局２から送信された無線電波を受信すると、その無線電波を復調して、その復調信号であるパケットデータをベースバンド部２３に出力する。
基地局１のベースバンド部２３は、送受信部２２からパケットデータを受けると、制御部２５の指示の下、そのパケットデータをデフレーミングし、そのパケットデータに含まれている制御信号を制御部２５に出力するとともに、そのパケットデータに含まれているデータをＩ／Ｆ部２４に出力する。
基地局１のＩ／Ｆ部２４は、ベースバンド部２３からデータを受けると、そのデータを外部に出力する。
【００１８】
次に、基地局１がデータを加入者端末局２に送信する場合、基地局１のＩ／Ｆ部２４が外部から送信対象のデータを入力して終端処理を実施する。
基地局１のベースバンド部２３は、Ｉ／Ｆ部２４が外部から送信対象のデータを入力すると、制御部２５の指示の下で制御信号を生成し、制御部２５により指示されたタイミングで、その制御信号と送信対象のデータをフレーミングし、そのフレーミング結果であるパケットデータを送受信部２２に出力する。
基地局１の送受信部２２は、ベースバンド部２３からパケットデータを受けると、制御部２５の指示の下、そのパケットデータを変調して増幅し、そのパケットデータの変調信号である無線電波をアンテナ２１から発信させる。
【００１９】
加入者端末局２の送受信部１３は、アンテナ１４が基地局１から送信された無線電波を受信すると、その無線電波を復調して、その復調信号であるパケットデータをベースバンド部１２に出力する。
加入者端末局２のベースバンド部１２は、送受信部１３からパケットデータを受けると、制御部１５の指示の下、そのパケットデータをデフレーミングし、そのパケットデータに含まれている制御信号を制御部１５に出力するとともに、そのパケットデータに含まれているデータをＩ／Ｆ部１１に出力する。
加入者端末局２のＩ／Ｆ部１１は、ベースバンド部１２からデータを受けると、そのデータを外部に出力する。
【００２０】
上記のようにして、基地局１と加入者端末局２がデータの無線通信を実施しているとき、加入者端末局３が無線回線を試験するために試験信号の無線電波を基地局１に送信すると、図２に示すように、加入者端末局２から送信される通常信号の無線電波と、加入者端末局３から送信される試験信号の無線電波とが同時期に基地局１に受信される場合がある。
したがって、基地局１は、加入者端末局３から送信される試験信号の無線電波を受信する際、加入者端末局２から送信される通常信号の無線電波が妨害波になり、無線回線の試験精度が劣化する。
【００２１】
そこで、この実施の形態１では、加入者端末局３が試験信号の無線電波を送信する際、加入者端末局２から送信される通常信号の無線電波を一時的に停止させて、その通常信号の無線電波が妨害波にならないようにしている。
具体的には次の通りである。
【００２２】
基地局１と加入者端末局２がデータの無線通信を実施しているとき、加入者端末局３が無線回線の試験を行うことを必要とする場合、加入者端末局３のベースバンド部１２が、制御部１５の指示の下、「試験開始要求」を示す制御信号Ｃ１を生成し、その制御信号Ｃ１をフレーミングして、そのフレーミング結果であるパケットデータを送受信部１３に出力する。
加入者端末局３の送受信部１３は、ベースバンド部１２から制御信号Ｃ１を含むパケットデータを受けると、その制御部１５の指示の下、その制御信号Ｃ１を含むパケットデータを変調して増幅する。そして、図３に示すように、その制御信号Ｃ１を含むパケットデータの変調信号である無線電波をアンテナ１４から発信させる。
【００２３】
なお、加入者端末局３がデータチャネルを利用して、制御信号Ｃ１を含むパケットデータの無線電波を基地局１に送信すると、基地局１が当該無線電波を受信するタイミングで、加入者端末局２から通常信号の無線電波（通常信号の無線電波はデータチャネルを利用して送信される）が送信されると、無線電波の干渉を招くおそれがあるが、無線電波の干渉が発生したときは、加入者端末局３が制御信号Ｃ１を含むパケットデータの無線電波を基地局１に再送するようにすればよい。
これに対して、加入者端末局３が制御信号Ｃ１を含むパケットデータの無線電波を基地局１に送信するに際して、例えば、制御チャネルを利用して送信するようにすれば、基地局１が当該無線電波を受信するタイミングで、加入者端末局２から通常信号の無線電波が送信されても、無線電波の干渉を招くおそれはない。
【００２４】
基地局１の送受信部２２は、アンテナ２１が加入者端末局３から送信された無線電波を受信すると、その無線電波を復調して、その復調信号である制御信号Ｃ１を含むパケットデータをベースバンド部２３に出力する。
基地局１のベースバンド部２３は、送受信部２２から制御信号Ｃ１を含むパケットデータを受けると、制御部２５の指示の下、そのパケットデータをデフレーミングし、そのパケットデータに含まれている制御信号Ｃ１を制御部２５に出力する。
基地局１の制御部２５は、ベースバンド部２３から制御信号Ｃ１を受けると、「送信停止指令」を示す制御信号Ｃ２の生成指令をベースバンド部２３に出力する。
【００２５】
基地局１のベースバンド部２３は、制御部２５から制御信号Ｃ２の生成指令を受けると、「送信停止指令」を示す制御信号Ｃ２を生成し、その制御信号Ｃ２をフレーミングして、そのフレーミング結果であるパケットデータを送受信部２２に出力する。
基地局１の送受信部２２は、ベースバンド部２３から制御信号Ｃ２を含むパケットデータを受けると、その制御部２５の指示の下、その制御信号Ｃ２を含むパケットデータを変調して増幅する。そして、図３に示すように、その制御信号Ｃ２を含むパケットデータの変調信号である無線電波をアンテナ２１から発信させる。
【００２６】
加入者端末局２の送受信部１３は、アンテナ１４が基地局１から送信された無線電波を受信すると、その無線電波を復調して、その復調信号である制御信号Ｃ２を含むパケットデータをベースバンド部１２に出力する。
加入者端末局２のベースバンド部１２は、送受信部１３から制御信号Ｃ２を含むパケットデータを受けると、制御部１５の指示の下、そのパケットデータをデフレーミングし、そのパケットデータに含まれている制御信号Ｃ２を制御部１５に出力する。
加入者端末局２の制御部１５は、ベースバンド部１２から制御信号Ｃ２を受けると、図３に示すように、Ｉ／Ｆ部１１、ベースバンド部１２及び送受信部１３を制御して、無線電波の送信を一時的に停止させる。
【００２７】
加入者端末局３のベースバンド部１２は、上記のようにして、加入者端末局２が無線電波の送信を一時的に停止すると、制御部１５の指示の下で試験信号を生成し、その試験信号をフレーミングして、そのフレーミング結果であるパケットデータを送受信部１３に出力する。
加入者端末局３の送受信部１３は、ベースバンド部１２から試験信号を含むパケットデータを受けると、その制御部１５の指示の下、その試験信号を含むパケットデータを変調して増幅する。そして、図３に示すように、その試験信号を含むパケットデータの変調信号である無線電波をアンテナ１４から発信させる。
【００２８】
基地局１の送受信部２２は、アンテナ２１が加入者端末局３から送信された無線電波を受信すると、その無線電波を復調して、その復調信号である試験信号を含むパケットデータをベースバンド部２３に出力する。
基地局１のベースバンド部２３は、送受信部２２から試験信号を含むパケットデータを受けると、制御部２５の指示の下、そのパケットデータをデフレーミングし、そのパケットデータに含まれている試験信号を抽出して無線回線の回線状況を確認する。
【００２９】
また、基地局１のベースバンド部２３も、上記のようにして、加入者端末局２が無線電波の送信を一時的に停止すると、制御部２５の指示の下で試験信号を生成し、その試験信号をフレーミングして、そのフレーミング結果であるパケットデータを送受信部２２に出力する。
基地局１の送受信部２２は、ベースバンド部２３から試験信号を含むパケットデータを受けると、その制御部２５の指示の下、その試験信号を含むパケットデータを変調して増幅する。そして、図３に示すように、その試験信号を含むパケットデータの変調信号である無線電波をアンテナ２１から発信させる。
【００３０】
加入者端末局３の送受信部１３は、アンテナ１４が基地局１から送信された無線電波を受信すると、その無線電波を復調して、その復調信号である試験信号を含むパケットデータをベースバンド部１２に出力する。
加入者端末局３のベースバンド部１２は、送受信部１３から試験信号を含むパケットデータを受けると、制御部１５の指示の下、そのパケットデータをデフレーミングし、そのパケットデータに含まれている試験信号を抽出して無線回線の回線状況を確認する。
【００３１】
この実施の形態１では、加入者端末局２が無線電波の送信を一時的に停止すると、加入者端末局３が試験信号を含むパケットデータを基地局１に送信して、基地局１が無線回線の回線状況を確認し、また、基地局１が試験信号を含むパケットデータを加入者端末局３に送信して、加入者端末局３が無線回線の回線状況を確認するものについて示したが、加入者端末局３が試験信号を含むパケットデータを基地局１に送信する場合には、基地局１が試験信号を含むパケットデータを加入者端末局３に送信せずに（別の機会に試験信号を含むパケットデータを送信する）、無線回線の回線状況の確認のみを実施するようにしてもよい。また、基地局１が試験信号を含むパケットデータを加入者端末局３に送信する場合には、加入者端末局３が試験信号を含むパケットデータを基地局１に送信せずに（別の機会に試験信号を含むパケットデータを送信する）、無線回線の回線状況の確認のみを実施するようにしてもよい。
【００３２】
ここで、基地局１のベースバンド部２３及び加入者端末局３のベースバンド部１２は、例えば、受信した試験信号を含むパケットデータの個数が予め設定されている個数に満たない場合、無線回線の回線状況が不良であると判断し、予め設定されている個数より多い場合、無線回線の回線状況が良好であると判断する。
あるいは、受信した試験信号を含むパケットデータの受信電界レベルが予め設定されている電界レベルに満たない場合、無線回線の回線状況が不良であると判断し、予め設定されている電界レベルより高い場合、無線回線の回線状況が良好であると判断する。
なお、試験信号を含むパケットデータの個数や受信電界レベルに基づいて無線回線の回線状況を確認する場合、試験信号の中身は何でもよいが、その試験信号のビットエラーレートに基づいて無線回線の回線状況を確認する場合には、予め設定されたパターンの試験信号を送受信する必要がある。
【００３３】
加入者端末局３の制御部１５は、ベースバンド部１２が無線回線の回線状況を確認すると、「試験完了報告」を示す制御信号Ｃ３の生成指令をベースバンド部１２に出力する。
加入者端末局３のベースバンド部１２は、制御部１５から制御信号Ｃ３の生成指令を受けると、「試験完了報告」を示す制御信号Ｃ３を生成し、その制御信号Ｃ３をフレーミングして、そのフレーミング結果であるパケットデータを送受信部１３に出力する。
加入者端末局３の送受信部１３は、ベースバンド部１２から制御信号Ｃ３を含むパケットデータを受けると、その制御部１５の指示の下、その制御信号Ｃ３を含むパケットデータを変調して増幅する。そして、図３に示すように、その制御信号Ｃ３を含むパケットデータの変調信号である無線電波をアンテナ１４から発信させる。
【００３４】
基地局１の送受信部２２は、アンテナ２１が加入者端末局３から送信された無線電波を受信すると、その無線電波を復調して、その復調信号である制御信号Ｃ３を含むパケットデータをベースバンド部２３に出力する。
基地局１のベースバンド部２３は、送受信部２２から制御信号Ｃ３を含むパケットデータを受けると、制御部２５の指示の下、そのパケットデータをデフレーミングし、そのパケットデータに含まれている制御信号Ｃ３を制御部２５に出力する。
基地局１の制御部２５は、ベースバンド部２３から制御信号Ｃ３を受けると、「送信停止解除指令」を示す制御信号Ｃ４の生成指令をベースバンド部２３に出力する。
【００３５】
基地局１のベースバンド部２３は、制御部２５から制御信号Ｃ４の生成指令を受けると、「送信停止解除指令」を示す制御信号Ｃ４を生成し、その制御信号Ｃ４をフレーミングして、そのフレーミング結果であるパケットデータを送受信部２２に出力する。
基地局１の送受信部２２は、ベースバンド部２３から制御信号Ｃ４を含むパケットデータを受けると、その制御部２５の指示の下、その制御信号Ｃ４を含むパケットデータを変調して増幅する。そして、図３に示すように、その制御信号Ｃ４を含むパケットデータの変調信号である無線電波をアンテナ２１から発信させる。
【００３６】
加入者端末局２の送受信部１３は、アンテナ１４が基地局１から送信された無線電波を受信すると、その無線電波を復調して、その復調信号である制御信号Ｃ４を含むパケットデータをベースバンド部１２に出力する。
加入者端末局２のベースバンド部１２は、送受信部１３から制御信号Ｃ４を含むパケットデータを受けると、制御部１５の指示の下、そのパケットデータをデフレーミングし、そのパケットデータに含まれている制御信号Ｃ４を制御部１５に出力する。
加入者端末局２の制御部１５は、ベースバンド部１２から制御信号Ｃ４を受けると、図３に示すように、Ｉ／Ｆ部１１、ベースバンド部１２及び送受信部１３を制御して、無線電波の送信停止を解除させる。
これにより、加入者端末局２と基地局１間の無線通信が再開される。
【００３７】
以上で明らかなように、この実施の形態１によれば、加入者端末局２と基地局１がデータの無線通信を実施しているとき、加入者端末局３と基地局１が無線回線の試験を実施する場合、基地局１が通信中の加入者端末局２から送信される無線電波を一時的に停止させてから、加入者端末局３と基地局１が試験信号を送受信するように構成したので、加入者端末局３と基地局１が試験信号を送受信する際、その基地局１と無線通信を実施している加入者端末局２が存在する場合でも、精度の高い試験結果を得ることができる効果を奏する。
【００３８】
実施の形態２．
上記実施の形態１では、加入者端末局２と基地局１がデータの無線通信を実施しているとき、加入者端末局３と基地局１が無線回線の試験を実施する場合、基地局１が通信中の加入者端末局２から送信される無線電波を一時的に停止させてから、加入者端末局３と基地局１が試験信号を送受信するものについて示したが、通信中の加入者端末局２から送信される通常信号が、例えば、音声信号のように、リアルタイム性を有する信号である場合、図３のように、加入者端末局２から送信される無線電波を長時間停止させると、音声が途切れてしまうことがある。
【００３９】
そこで、この実施の形態２では、通常信号のリアルタイム性を確保するため、図４に示すように、基地局１が通信中の加入者端末局２から送信される無線電波を断続的に停止させ、その無線電波の送信が停止されている期間中、加入者端末局３と基地局１が試験信号を送受信するようにしている。
具体的には次の通りである。
【００４０】
加入者端末局３と基地局１は、加入者端末局２から送信される無線電波を長時間停止させないようにするため、送信する試験信号を分割して、１回の送信時間を短縮する。
即ち、加入者端末局３は、試験信号の分割信号を送受信する際に、「試験開始要求」を示す制御信号Ｃ１を含むパケットデータを基地局１に送信する。図４の例では、制御信号Ｃ１を含むパケットデータを４回送信している。
【００４１】
基地局１は、加入者端末局３から制御信号Ｃ１を含むパケットデータを受信する毎に、「送信停止指令」を示す制御信号Ｃ２を含むパケットデータを加入者端末局２に送信する。
これにより、加入者端末局２が無線電波の送信を停止すると、加入者端末局３と基地局１が試験信号の分割信号を含むパケットデータを送受信して無線回線の試験を実施する。
【００４２】
加入者端末局３は、基地局１と試験信号の分割信号を含むパケットデータの送受信を完了すると、「試験完了報告」を示す制御信号Ｃ３を含むパケットデータを基地局１に送信する。
基地局１は、加入者端末局３から制御信号Ｃ３を含むパケットデータを受信すると、「送信停止解除指令」を示す制御信号Ｃ４を含むパケットデータを加入者端末局２に送信する。
これにより、加入者端末局２が無線電波の送信を再開する。
図４の例では、上記の処理を４回繰り返し実施することにより、無線回線の試験が完了する。
【００４３】
以上で明らかなように、この実施の形態２によれば、加入者端末局３から試験開始要求を繰り返し受信する毎に、無線電波の送信停止を指示する送信停止指令を加入者端末局２に送信してから、無線電波の送信再開を指示する送信停止解除指令を加入者端末局２に送信し、加入者端末局２から送信される通常信号の無線電波が停止しているとき、加入者端末局３と基地局１が試験信号を送受信して無線回線の試験を実施するように構成したので、加入者端末局３と基地局１が試験信号を送受信する際、その基地局１と無線通信を実施している加入者端末局２が存在する場合でも、精度の高い試験結果を得ることができるとともに、加入者端末局２から送信される通常信号のリアルタイム性を確保することができる効果を奏する。
【００４４】
実施の形態３．
上記実施の形態２では、加入者端末局３から試験開始要求を繰り返し受信する毎に、無線電波の送信停止を指示する送信停止指令を加入者端末局２に送信してから、無線電波の送信再開を指示する送信停止解除指令を加入者端末局２に送信し、加入者端末局２から送信される通常信号の無線電波が停止しているとき、加入者端末局３と基地局１が試験信号を送受信して無線回線の試験を実施するものについて示したが、図５に示すように、基地局１が加入者端末局３から試験開始要求を受信すると、無線電波の送信停止を指示する送信停止指令と無線電波の送信再開を指示する送信停止解除指令を加入者端末局２に交互に送信し、加入者端末局２から送信される無線電波が停止しているとき、加入者端末局３と基地局１が試験信号を送受信して無線回線の試験を実施するようにしてもよい。
【００４５】
即ち、上記実施の形態２では、加入者端末局３が試験信号の分割信号を送受信する際に、毎回、「試験開始要求」を示す制御信号Ｃ１を含むパケットデータを基地局１に送信するようにしているが、この実施の形態３では、図５に示すように、最初の一回だけ、加入者端末局３が「試験開始要求」を示す制御信号Ｃ１を含むパケットデータを基地局１に送信し、基地局１が制御信号Ｃ１を含むパケットデータを受信すると、所定回数（図５の例では、４回）、「送信停止指令」を示す制御信号Ｃ２を含むパケットデータと、「送信停止解除指令」を示す制御信号Ｃ４を含むパケットデータとを加入者端末局２に交互に送信するようにしている。
この場合も、上記実施の形態２と同様に、加入者端末局２から送信される通常信号のリアルタイム性を確保することができる効果を奏する。
【００４６】
なお、上記実施の形態１〜３では、加入者端末局３が「送信完了報告」を示す制御信号Ｃ３を含むパケットデータを基地局１に送信し、基地局１が「送信停止解除指令」を示す制御信号Ｃ４を含むパケットデータを加入者端末局２に送信するものについて示したが、基地局１及び加入者端末局２がタイマーを内蔵していれば、基地局１が「送信停止指令」を示す制御信号Ｃ２を含むパケットデータを送信してからの経過時間をカウントし、加入者端末局２が「送信停止指令」を示す制御信号Ｃ２を含むパケットデータを受信してからの経過時間をカウントすることができるので、「送信完了報告」を示す制御信号Ｃ３を含むパケットデータの送信や、「送信停止解除指令」を示す制御信号Ｃ４を含むパケットデータの送信を省略するようにしてもよい。
【図面の簡単な説明】
【００４７】
【図１】この発明の実施の形態１による無線通信システムを示す構成図である。
【図２】無線電波が干渉する場合の基地局と加入者端末局間の無線通信を示す説明図である。
【図３】無線電波が干渉しない場合の基地局と加入者端末局間の無線通信を示す説明図である。
【図４】無線電波が干渉しない場合の基地局と加入者端末局間の無線通信を示す説明図である。
【図５】無線電波が干渉しない場合の基地局と加入者端末局間の無線通信を示す説明図である。
【符号の説明】
【００４８】
１  基地局、２  加入者端末局、３  加入者端末局、１１  Ｉ／Ｆ部、１２  ベースバンド部、１３  送受信部、１４  アンテナ、１５  制御部、２１  アンテナ、２２  送受信部、２３  ベースバンド部、２４  Ｉ／Ｆ部、２５  制御部。
【図１】
2005328286.tif 000003
【図２】
2005328286.tif 000004
【図３】
2005328286.tif 000005
【図４】
2005328286.tif 000006
【図５】
2005328286.tif 000007